(57)【特許請求の範囲】
【請求項１】
後側が被取付体に取付可能であって、前記後側と反対側である前側の端部に位置し、前記前側に溝状に開口された第１の係合受部およびこの第１の係合受部の後方に位置し第１の係合受部を軸とした円周上に下側に開口する溝状に形成された第２の係合受部を形成した取付具と；
この取付具の前記第１および第２の係合受部に係合される第１および第２の係合軸部を有した取付部を後部上方に有し、ランプを取付けるランプソケットおよび反射体を収納し、重心が前記第１の係合軸部よりも前側にある器具本体と；
を有したことを特徴とする照明器具。
【請求項２】
器具本体の上方には取付部が配設され、第１および第２の係合軸部はこの取付部の両側方から突出されるとともに、取付具はこの取付部を下方から嵌合する垂直断面略コ字状の取付受部を有し、この取付受部の両側板部に第１および第２の係合受部が形成されたことを特徴とする請求項１記載の照明器具。
【請求項３】
取付具が取付けられる被取付体は支柱であって、取付受部の上板部は前記支柱の長手方向に対して直交する方向に延出するように形成されたことを特徴とする請求項２記載の照明器具。
【請求項４】
器具本体の後端部には、取付部の近傍に位置した把手部が設けられたことを特徴とする請求項１ないし３いずれか一記載の照明器具。
【請求項５】
取付具の第２の係合受部は、第１の係合受部を軸とした円周上に下方に開口するように溝状に切欠かれ、この第２の係合受部の上方であって上記円周上に固定孔を形成した
ことを特徴とする請求項１ないし４いずれか一記載の照明器具。
【発明の詳細な説明】
【０００１】
【産業上の利用分野】
本発明は、例えば、支柱などの被取付体に取り付けられる防犯灯、街路灯などの照明器具に関する。
【０００２】
【従来の技術】
従来、例えば、特開平３−２１６９０６号公報に示されるように、立設された支柱の上部に取り付けられて、下方を照明する照明器具が用いられている。そして、この種の照明器具の器具本体は、支柱に予め固定された取付金具に固定され、この取付金具を介して支柱に固定されている。また、器具本体には、後端面あるいは上面の後側部に取付部が設けられ、この取付部が、取付金具にねじあるいはボルトなどにより締め付け固定されている。
【０００３】
【発明が解決しようとする課題】
しかしながら、上記従来の構成では、高所において、重量のある器具本体を支えながら、この器具本体の取付部と取付金具とをねじなどにより締め付け固定する煩雑な作業が必要になる問題を有している。また、器具本体の取付部と取付金具とを連結するねじなどには、器具本体の自重により抜け方向の力が加わるため、これら器具本体と取付金具とを強固に固定するために、ねじなどを強固に締め付けたうえ、緩み止めの処置などを施す必要があり、作業性の悪化や製造コストの上昇などを招くとの問題を有している。
【０００４】
本発明は、このような点に鑑みなされたもので、被取付体に容易かつ確実に取付けできる照明器具を提供することを目的とする。
【０００５】
【課題を解決するための手段】
請求項１記載の照明器具は、後側が被取付体に取付可能であって、前記後側と反対側である前側の端部に位置し、前記前側に溝状に開口された第１の係合受部およびこの第１の係合受部の後方に位置し第１の係合受部を軸とした円周上に下側に開口する溝状に形成された第２の係合受部を形成した取付具と、この取付具の前記第１および第２の係合受部に係合される第１および第２の係合軸部を有した取付部を後部上方に有し、ランプを取付けるランプソケットおよび反射体を収納し、重心が前記第１の係合軸部よりも前側にある器具本体とを有したものである。
【０００６】
請求項２記載の照明器具は、請求項１記載の照明器具において、器具本体の上方には取付部が配設され、第１および第２の係合軸部はこの取付部の両側方から突出されるとともに、取付具はこの取付部を下方から嵌合する垂直断面略コ字状の取付受部を有し、この取付受部の両側板部に第１および第２の係合受部が形成されたものである。
【０００７】
請求項３記載の照明器具は、請求項２記載の照明器具において、取付具が取付けられる被取付体は支柱であって、取付受部の上板部は前記支柱の長手方向に対して直交する方向に延出するように形成されたものである。
【０００８】
請求項４記載の照明器具は、請求項１ないし３いずれか一記載の照明器具において、器具本体の後端部には、取付部の近傍に位置した把手部が設けられたものである。
【０００９】
請求項５記載の照明器具は、請求項１ないし４いずれか一記載の照明器具において、取付具の第２の係合受部は、第１の係合受部を軸とした円周上に下方に開口するように溝状に切欠かれ、この第２の係合受部の上方であって上記円周上に固定孔を形成したものである。
【００１０】
【作用】
請求項１記載の照明器具では、予め取付具を被取付体に取り付けた状態で、この取付具の被取付体と反対の方向に開口された第１の係合受部に、ランプを取付けるランプソケットおよび反射体を収納した器具本体の第１の係合軸部を挿入する。そして、この第１の係合軸部を支点として、器具本体を回動し、取付具の第２の係合受部に器具本体の第２の係合軸部を係合すると、器具本体の重心は第１の係合軸部よりも前側にあるため、各係合軸部が各係合受部に係合する方向に力が加わり、取付具に器具本体が保持される。
【００１１】
請求項２記載の照明器具では、請求項１記載の作用に加え、器具本体の上方に配設した取付部の両側方から第１および第２の係合軸部を突出するとともに、両側板部に第１および第２の係合受部を形成した取付具の取付受部は、器具本体の取付部を下方から嵌合する垂直断面略コ字状としたので、取付部と取付受部との嵌合摺接移動によって係合軸の位置決めが容易になる。
【００１２】
請求項３記載の照明器具では、請求項２記載の作用に加え、取付具が取付けられる被取付体は支柱であって、取付受部の上板部は支柱の長手方向に対して直交する方向に延出するように形成されたので、支柱に登る作業者が照明器具より上方で作業を行なうときに、取付具の取付受部の上板部が足場になる。
【００１３】
請求項４記載の照明器具では、請求項１ないし３いずれか一記載の作用に加え、器具本体の後端部に取付部の近傍に位置して把手部を設けたので、この把手部を把持して、器具本体の取付具への係合などの取り付け作業が行われる。
【００１４】
請求項５記載の照明器具では、請求項１ないし４いずれか一記載の作用に加え、取付具の第２の係合受部は、第１の係合受部を軸とした円周上に下方に開口するように溝状に切欠かれ、この第２の係合受部の上方であって上記円周上に固定孔を形成したので、取付具の第２の係合受部に器具本体の第２の係合軸部を係合した状態と、この第２の係合軸部を固定孔に固定した状態とで、器具本体の取付角度が少なくとも２段階に調整される。
【００１５】
【実施例】
以下、本発明の照明器具の一実施例の構成を図面を参照して説明する。
【００１６】
図１において、１は被取付体としての支柱で、この支柱１は、コンクリートあるいは鋼管などによって形成された電柱などであり、道路と建築物との間に位置した路面に立設されている。そして、この支柱１の上部に、照明器具としての防犯灯１１が取り付けられ、道路などを照明するようになっている。
【００１７】
また、この防犯灯１１は、図１ないし図４に示すように、器具本体１２と、この器具本体１２を支柱１に取り付ける取付具１４とから構成されている。そして、この器具本体１２は、前後方向を長手方向とし下面を照射開口１５とする皿状の灯体１６を備え、この灯体１６の内側面に、安定器などの点灯装置１８、ランプソケット１９、反射板２１、および光源となるランプの点滅を制御するフォトスイッチ２２などが取り付けられている。また、ランプソケット１９には、ランプとしての水銀ランプＨＬが装着され、反射板２１に光学的に対向するようになっている。
【００１８】
そして、フォトスイッチ２２は、図４に示すように、所定の方向を中心とする一定の範囲θから採光して照度を検出し、この照度が所定の値以上になると水銀ランプＨＬを消灯させるとともに、この照度が所定の値より小さくなると水銀ランプＨＬを点灯させるようになっている。また、このフォトスイッチ２２の採光方向の中心は、支柱１に向かう方向から水平方向に若干ずらされ、支柱１に向かう方向から水平方向に９０度以内の範囲に設定されている。また、このフォトスイッチ２２の採光方向は、下方に向かって若干傾斜して設定されている。
【００１９】
さらに、図２に示すように、この灯体１６には、表示灯としての発光ダイオード２４が下方に向かって設けられている。そして、この発光ダイオード２４は、水銀ランプＨＬが故障するなどして点灯しない状態を検出する不点検知回路に接続され、この検出結果を点灯状態により表示するようになっている。
【００２０】
さらに、この灯体１６の照射開口１５には、上面を開口した皿状のグローブ２５が装着されている。また、このグローブ２５は、透光性を有するガラスあるいは樹脂などから形成されているとともに、制光用の図示しないプリズムが一体または別体に設けられている。なお、このプリズムは、発光ダイオード２４あるいはフォトスイッチ２２に対向した部分のみに設けずに、表示視認性あるいは採光感度を向上させるようにしてもよい。また、このグローブ２５は、前端部に設けたヒンジ２６により灯体１６に回動自在に軸支されるとともに、後端部に設けたねじ２７により灯体１６に固定され、灯体１６の照射開口１５を開閉可能に覆うようになっている。
【００２１】
なお、上記の不点状態表示用の発光ダイオード２４は、このグローブ２５の内面に近接して配置されている。
【００２２】
また、この灯体１６の後部からは、上方に向かって取付部３１が突設されている。そして、この取付部３１は、上面部３１ａ  が平面略矩形状に形成されているとともに、この上面部３１ａ  の両側に連続する側面部３１ｂ  ，３１ｂ  には、通孔にタップが切られ、両側方向に開口する前後一対の図示しないねじ孔が形成されている。そして、図３に示すように、これらねじ孔に、それぞれ第１および第２の係合軸部を構成する第１および第２のボルト３３，３４の軸部３３ａ  ，３４ａ  がそれぞれ両側から螺合されている。また、これら第１および第２のボルト３３，３４の外側の端部には、径の大きい頭部３３ｂ  ，３４ｂ  が設けられている。
【００２３】
さらに、この灯体１６の後端部には、防犯灯１１の取付時に器具本体１２を支持するための把手部３８が一体的に突設されている。なお、この把手部３８の外周面は、灯体１６の外周面と略同一面上に滑らかに連設されている。
【００２４】
一方、取付具１４には、垂直断面略コの字状をなす取付受部４１と、この取付受部４１の後端部から屈曲された両側一対のフランジ部４２，４２とが設けられている。そして、取付受部４１は、上板部４４と、この上板部４４の両側部から屈曲された側板部４５，４５とから、垂直断面略コの字状に形成されており、器具本体１２の取付部３１の外側に上側から嵌合するようになっている。また、この取付受部４１の側板部４５，４５には、前側に開口した第１の係合受部４６が切り欠き形成されているとともに、この第１の係合受部４６の後方に位置して下側に開口した第２の係合受部４７が切り欠き形成され、さらに、この第２の係合受部４７の上方に位置して、固定孔４８が形成されている。そして、第１の係合受部４６は、後側下方に向かって略円弧状に湾曲した溝状をなしている。また、第２の係合受部４７は、この第１の係合受部４６の先端部を中心とする円弧状の溝状をなしている。さらに、固定孔４８は、第２の係合受部４７の円弧を延長した円弧上に位置し、かつ、この固定孔４８と第１の係合受部４６の先端部とを結ぶ直線が、第１の係合受部４６の先端部と第２の係合受部４７の先端部とを結ぶ直線に対して１５度の角度で交差する位置に形成されている。
【００２５】
また、この取付具１４の側板部４５，４５の後端部近傍には、それぞれ略矩形状をなすバンド用孔５０，５０が形成され、電柱などの支柱１に締付け取り付けられる金属製などの取付バンド５１が挿通するようになっている。
【００２６】
次に、本実施例の防犯灯１１の支柱１への取り付け作業を説明する。
【００２７】
まず、取付具１４のフランジ部４２を支柱１の所定の高さ位置の周面に当接させ、この取付具１４のバンド用孔５０，５０を挿通させた取付バンド５１を支柱１の周面に捲回して締め付け固定する。すると、取付受部４１の上板部４４を前側に向かってほぼ水平に突設した状態で、取付具１４が支柱１の所定の高さ位置に固定される。
【００２８】
次いで、把手部３８をつかむなどして、器具本体１２を所定の高さまで持ち上げる。そして、図５（ａ）に示すように、器具本体１２の前側を持ち上げ、器具本体１２の取付部３１を取付具１４の取付受部４１に摺接させながら取付具１４側へ移動させ、取付部３１の前側に位置する第１のボルト３３を、取付受部４１の第１の係合受部４６に挿入して係合する。次いで、図５（ｂ）に示すように、この第１のボルト３３を支点として、器具本体１２の自重に従い前側を下げる方向に回動させる。すると、取付部３１の後側に位置する第２のボルト３４は、第２の係合受部４７に挿入されて係合される。この状態で、器具本体１２の重心は第１のボルト３３よりも前側にあるため、各ボルト３３，３４が各係合受部４６，４７に係合する方向に力が加わり、器具本体１２が取付具１４に係合保持されて仮固定され、器具本体１２から手を離した状態での作業が可能になる。
【００２９】
そして、この状態から、各ボルト３３，３４の頭部３３ｂ  ，３４ｂ  を締め付けることにより、器具本体１２を取付具１４に挟持して固定できる。あるいは、後側のボルト３４を取付部３１の通孔から一旦抜いて、器具本体１２を前側のボルト３３を支点としてさらに回動させた上、後側のボルト３４を固定孔４８から取付部３１の通孔に再び挿通させて締め付け固定することにより、器具本体１２を取付具１４に固定できる。なお、後側のボルト３４を固定孔４８に挿通した場合は、器具本体１２はほぼ水平に設置され、後側のボルト３４を第２の係合受部４７に挿通した場合は、器具本体１２は水平方向に対して１５度ほどの角度を有して前上がりに傾斜して設置されるようになっている。
【００３０】
そして、この防犯灯１１は、周囲が暗くなると、フォトスイッチ２２の動作により水銀ランプＨＬが自動的に点灯され、周囲が明るくなると、フォトスイッチ２２の動作により水銀ランプＨＬが自動的に消灯される。
【００３１】
また、水銀ランプＨＬが故障するなどした場合などには、不点検出を行い表示制御する表示制御基板２４ａ  により、発光ダイオード２４が点灯し、修理を促すようになっている。
【００３２】
そして、本実施例の防犯灯１１によれば、軽量な取付具１４を予め支柱１に取り付けた状態で、この取付具１４の取付受部４１に設けた第１の係合受部４６に、器具本体１２の取付部３１に取り付けた前側の第１のボルト３３を挿入して係合し、さらに、この第１のボルト３３を支点として器具本体１２を回動させて後側の第２のボルト３４を第２の係合受部４７に挿入して係合した状態で、取付具１４に器具本体１２を仮固定することができる。そこで、この仮固定の状態で、各ボルト３３，３４の頭部３３ｂ  ，３４ｂ  を締め付け、取付具１４の取付受部４１と器具本体１２の取付部３１とを固定する作業などを行うことができ、高所での作業性（取付施工性）を向上することができる。
【００３３】
また、器具本体１２の取付部３１の近傍に把手部３８を設けたため、この把手部３８を掴持することにより、重量のある器具本体１２を安定して保持することができる。そこで、器具本体１２の取付具１４への係合などの取り付け作業を確実かつ円滑に行うことができ、支柱１上の高所などでの作業性を向上することができる。
【００３４】
そして、取付受部４１の上板部４４は支柱１の長手方向に対して直交する方向に延出するように形成したため、支柱１に登る作業者が防犯灯１１より上方で作業を行なうときに、取付具１４の取付受部４１の上板部４４を足場にすることができ、支柱１上の高所などでの作業性を向上することができる。
【００３５】
さらに、前後のボルト３３，３４を、それぞれ両側方向を長手方向として器具本体１２の取付部３１と取付具１４の取付受部４１とを貫通してナットにより締付けるようなものにすれば、器具本体１２の重量による負荷が各ボルト３３，３４のねじ部に加わらず、各ボルト３３，３４の脱落など確実に防止して、器具本体１２をより確実に固定することができる。
【００３６】
また、後側のボルト３４は、第２の係合受部４７と、固定孔４８とに選択的に固定できるため、器具本体１２を回動して取付角度を水平状態から１５度ほど角度を調整することができる。そこで、この防犯灯１１を設置した近傍の民家から水銀ランプＨＬあるいはグローブ２５のプリズムなどが見えて眩しさ（グレア）を感じる場合は、適宜器具本体１２を回動して眩しさを解消することができる。
【００３７】
なお、器具本体１２に、フォトスイッチ２２を設けるとともに、このフォトスイッチ２２の採光方向を器具本体１２の斜め後方に向けて設定し、すなわち、採光方向を支柱１に向かう方向から若干外れた方向に設定したため、光源となる水銀ランプＨＬから照射された光線が支柱１に拡散反射してフォトスイッチ２２に入光することを抑制できると同時に、道路を通る自動車の前照灯などから照射された光線がフォトスイッチ２２に入光することを抑制できるため、このフォトスイッチ２２が周囲の明るさを誤って検出することを抑制でき、水銀ランプＨＬを周囲の明るさに合わせて安定して自動的に点灯、消灯させることができる。
【００３８】
そして、水銀ランプＨＬを覆う透光性を有するグローブ２５の内側に位置して、この水銀ランプＨＬの不点状態を検知して表示する発光ダイオード２４を配置したため、通常水銀ランプＨＬが通常消灯した状態になっている明るい昼間でも、このグローブ２５を介して、水銀ランプＨＬが不点状態になっているかどうかを目視により容易に確認でき、防犯灯１１の点検作業を容易にすることができる。また、グローブ２５により発光ダイオード２４を覆ったため、このグローブ２５により発光ダイオード２４を保護することができ、発光ダイオード２４を覆う別個の部材などを不要にして、防犯灯１１の構造を簡略化し、製造コストを低減することができる。
【００３９】
なお、この発光ダイオード２４に対向して、グローブ２５に、光を拡散するフロスト処理などを行った拡散部を形成することにより、防犯灯１１の下方の地上の広い範囲の位置から発光ダイオード２４の点灯を目視することが可能になり、点検作業をより容易にすることができる。
【００４０】
また、上記の実施例では、図２に示すように、器具本体１２に、ランプとして水銀ランプＨＬを用いたが、他の光源を用いることもでき、例えば、図６に示すように、略Ｕ字状などに屈曲された片口金型の蛍光ランプＦＬを用いることもできる。
【００４１】
【発明の効果】
請求項１記載の照明器具によれば、予め取付具を被取付体に取り付けた状態で、この取付具の被取付体と反対の方向に開口された第１の係合受部に、ランプを取付けるランプソケットおよび反射体を収納した器具本体の第１の係合軸部を挿入し、この第１の係合軸部を支点として、器具本体を回動し、取付具の第２の係合受部に器具本体の第２の係合軸部を係合することにより、器具本体の重心は第１の係合軸部よりも前側にあるため、各係合軸部が各係合受部に係合する方向に力が加わり、取付具に器具本体を保持することができる。そして、この状態で、取付具の取付受部と器具本体の取付部とを固定する作業を行うことができ、高所などでの作業性を向上することができる。
【００４２】
請求項２記載の照明器具によれば、請求項１記載の効果に加え、器具本体の上方に配設した取付部の両側方から第１および第２の係合軸部を突出するとともに、両側板部に第１および第２の係合受部を形成した取付具の取付受部は、器具本体の取付部を下方から嵌合する垂直断面略コ字状としたため、取付部と取付受部との嵌合摺接移動によって係合軸の位置決めを容易にして、器具本体の取り付け作業を円滑に行うことができ、高所などでの作業性を向上することができる。
【００４３】
請求項３記載の照明器具によれば、請求項２記載の効果に加え、取付具が取付けられる被取付体は支柱であって、取付受部の上板部は支柱の長手方向に対して直交する方向に延出するように形成されたため、支柱に登る作業者が照明器具より上方で作業を行なうときに、取付具の取付受部の上板部を足場として作業することができる。
【００４４】
請求項４記載の照明器具によれば、請求項１ないし３いずれか一記載の効果に加え、器具本体の後端部に取付部の近傍に位置して把手部を設けたため、この把手部を把持して、器具本体の取付具への係合などの取り付け作業を円滑に行うことができ、高所などでの作業性を向上することができる。
【００４５】
請求項５記載の照明器具によれば、請求項１ないし４いずれか一記載の効果に加え、取付具の第２の係合受部は、第１の係合受部を軸とした円周上に下方に開口するように溝状に切欠かれ、この第２の係合受部の上方であって上記円周上に固定孔を形成したため、取付具の第２の係合受部に器具本体の第２の係合軸部を係合した状態と、この第２の係合軸部を固定孔に固定した状態とで、器具本体の取付角度を少なくとも２段階に調整して、光線の照射方向を容易に調整することができる。
【図面の簡単な説明】
【図１】本発明の照明器具の一実施例を示す斜視図である。
【図２】同上照明器具の側面図である。
【図３】同上照明器具の平面図である。
【図４】同上照明器具の底面図である。
【図５】同上照明器具の取り付け動作を示す説明図である。
【図６】本発明の照明器具の他の実施例を示す側面図である。
【符号の説明】
１    被取付体としての支柱
１１    照明器具としての防犯灯
１２    器具本体
１４    取付具
１９    ランプソケット
２１    反射体
３１    取付部
３３    第１の係合軸部としての第１のボルト
３４    第２の係合軸部としての第２のボルト
３８    把手部
４１    取付受部
４４    上板部
４５    側板部
４６    第１の係合受部
４７    第２の係合受部
４８    固定孔
ＨＬ    ランプとしての水銀ランプ
【図１】
0003591539.tif 000002
【図２】
0003591539.tif 000003
【図３】
0003591539.tif 000004
【図４】
0003591539.tif 000005
【図５】
0003591539.tif 000006
【図６】
0003591539.tif 000007